(57)【要約】【課題】  スイッチノブと照明用導光部材との隙間のばらつきを低減できて意匠性及び操作性を向上できるスイッチノブの取付構造を提供する。【解決手段】  パネル基板３に配設された照明用導光部材７ａに対し適宜間隔を保ってパネル基板３に配置される押しボタン式のスイッチノブ５の取付構造であって、スイッチノブ５は、そのスイッチノブ５に設けられた支持部５ｂを介して直接に照明用導光部材７ａに取り付けられてパネル基板３に配置される。【選択図】  図２
2005197107.tif 000002
【特許請求の範囲】
【請求項１】
パネル基板に配設された照明用導光部材に対し適宜間隔を保って前記パネル基板に配置される押しボタン式のスイッチノブの取付構造であって、
前記スイッチノブは、そのスイッチノブに設けられた支持部を介して直接に前記照明用導光部材に取り付けられて前記パネル基板に配置されることを特徴とするスイッチノブ取付構造。
【請求項２】
前記照明用導光部材は、前記パネル基板の後面上に配置される導光部と、前記パネル基板に設けられた開口部の内周面上に配置される光射出部とを有し、
前記スイッチノブは、前記照明用導光部材の前記光射出部に対し適宜間隔を保って前記パネル基板の前記開口部内に配置されるスイッチノブ本体と、前記スイッチノブ本体を前記照明用導光部材の前記導光部に押込操作に応じて復帰自在に後退できる様に固定支持する前記支持部とを有することを特徴とするスイッチノブ取付構造。
【発明の詳細な説明】
【技術分野】
【０００１】
本発明は、オーディオやヒーター等の各種車載機器の操作を受け付ける為の押しボタン式のスイッチノブの取付構造に関する。
【背景技術】
【０００２】
各種車載機器の操作を受け付ける為のスイッチノブの配置されるスイッチパネルの中には、夜間の操作性の向上を図るべく、スイッチノブの周囲にスイッチノブを照明する為の照明用導光部材が配設されたものが提案されている。その種の従来のスイッチパネル１００では、例えば図１及び図３の様に、照明用導光部材１０７は、パネル基板１０３の所定部位に配設されており、スイッチノブ１０５は、そのスイッチノブ１０５に設けられた支持部１０５ｂを介してパネル基板１０３に取り付けられる事により、照明用導光部材１０７に対し適宜間隔ｄを開けてパネル基板１０３に配置される。
【発明の開示】
【発明が解決しようとする課題】
【０００３】
従来のスイッチパネル１００では、スイッチノブ１０５がパネル基板１０３に取り付けられる為、各スイッチノブ１０５と照明用導光部材１０７との間隔ｄは、スイッチノブ１０５とパネル基板１０３との間の組み付けばらつきと、パネル基板１０３と照明用導光部材１０７との間の組み付けばらつきとの双方の影響を受けて大きくばらつき、その結果、意匠的に見栄えが悪くなり、場合によってはスイッチノブ１０５と照明用導光部材１０７が干渉して操作に不具合が生じる虞があるという問題がある。
【０００４】
そこで、この発明の課題は、スイッチノブと照明用導光部材との隙間のばらつきを低減できて意匠性及び操作性を向上できるスイッチノブの取付構造を提供することにある。
【課題を解決するための手段】
【０００５】
上記課題を解決する為には、請求項１に記載の発明は、パネル基板に配設された照明用導光部材に対し適宜間隔を保って前記パネル基板に配置される押しボタン式のスイッチノブの取付構造であって、前記スイッチノブは、そのスイッチノブに設けられた支持部を介して直接に前記照明用導光部材に取り付けられて前記パネル基板に配置されるものである。
【０００６】
請求項２に記載の発明は、前記照明用導光部材は、前記パネル基板の後面上に配置される導光部と、前記パネル基板に設けられた開口部の内周面上に配置される光射出部とを有し、前記スイッチノブは、前記照明用導光部材の前記光射出部に対し適宜間隔を保って前記パネル基板の前記開口部内に配置されるスイッチノブ本体と、前記スイッチノブ本体を前記照明用導光部材の前記導光部に押込操作に応じて復帰自在に後退できる様に固定支持する前記支持部とを有するものである。
【発明の効果】
【０００７】
請求項１に記載の発明によれば、スイッチノブは、そのスイッチノブに設けられた支持部を介して直接に照明用導光部材に取り付けられる為、即ち従来の様にパネル基板を介して照明用導光部材に取り付けられない為、スイッチノブと照明用導光部材との隙間のばらつきを低減でき、これにより見栄えを良くできて意匠性を向上できると共にスイッチノブと照明用導光部材との干渉を防止できて操作性を向上できる。
【０００８】
請求項２に記載の発明によれば、照明用導光部材が、パネル基板の後面上に配置される導光部と、パネル基板に設けられた開口部の内周面上に配置される光射出部とを有して形成され、スイッチノブが、照明用導光部材の光射出部に対し適宜間隔を保ってパネル基板の開口部内に配置されるスイッチノブ本体と、このスイッチノブ本体を照明用導光部材の導光部に押込操作に応じて復帰自在に後退できる様に固定支持する支持部とを有して形成される為、簡単な構成でスイッチノブを押込操作に応じて復帰自在に後退できる様に照明用導光部材に取り付けられる。
【発明を実施するための最良の形態】
【０００９】
図１は本発明のスイッチノブ取付構造が適用されたスイッチパネルの正面図の一例図であり、図２は図１のII-II断面図である。
【００１０】
この実施の形態のスイッチパネル１は、オーディオやヒーター等の各種車載機器の操作を受け付ける為のスイッチノブが配置されるものであり、図１及び図２の様に、パネル基板３と、パネル基板３に設けられた開口部３ａ内に配置された押しボタン用のスイッチノブ５と、パネル基板３に於けるスイッチノブ５の周囲に配設されて、所定の光源からの光を導光してスイッチノブ用の照明光としてスイッチノブ５の周囲から射出する導光レンズ（照明用導光部材）７と、パネル基板３の後面側に配設されて、スイッチノブ５の押込操作に応じてオンオフされるタクトスイッチ（図示省略）や導光レンズ７に照明用の光を供給する光源（図示省略）が実装された回路基板（図示省略）とを備えて主構成される。
【００１１】
尚、このスイッチパネル１には、ダイヤル式のスイッチノブ６も備えられているが、本発明と関係無いのでこれ以上の説明は省略する。
【００１２】
ここでは、各スイッチノブ５は横一列に隣接配置されており、これに応じてパネル基板３の開口部３ａは横長矩形状に形成されている。
【００１３】
導光レンズ７は、例えば図２の様に、パネル基板３の開口部３ａより一回り大きい寸法の例えば板状の導光部７ａを有し、その導光部７ａの略中央には、各スイッチノブ５が配置される例えば横長矩形状の開口部７ｂが形成され、その導光部７ａの前面上の開口部７ｂの周縁には、その周縁に亘り照明光が射出される光射出部７ｃが突条形成され、その導光部７ａの後面には、各スイッチノブ５が取り付けられる例えば凸状の取付部７ｄと前記回路基板に実装された光源からの光を入射する光入射部（図示省略）とが形成されて成る。この導光レンズ７は、その導光部７ａの前面がパネル基板３の後面上に配置され、且つその光射出部７ｃがパネル基板３の開口部３ａの内周面に嵌合される様にしてパネル基板３に取り付けられる。
【００１４】
尚、この導光レンズ７では、前記光入射部に入射された前記光源からの光は、導光部７ａ内を伝搬して光射出部７ｃの前端面７ｅから照明光として射出され、これによりスイッチノブ５の操作面５ｄが照明される。
【００１５】
各スイッチノブ５は、可撓性部材により、例えば略直方体状で後面開放の箱状に形成されたスイッチノブ本体５ａと、押込操作に応じてスイッチノブ本体５ａが弾性復帰自在に後退する様にスイッチノブ本体５ａを導光レンズ７の取付部７ｄに固定支持する支持部５ｂとを有して形成される。
【００１６】
支持部５ｂは、例えば、スイッチノブ本体５ａの側面（ここでは上側側面）の後縁部から立設されて前方に屈曲された支持部本体５ｂ−１と、導光レンズ７の取付部７ｄに固着（ここでは嵌着）された例えば筒状の固定部５ｂ−２と、ヒンジ変形可能な様に薄肉状に形成されて支持部本体５ｂ−１と固定部５ｂ−２とをヒンジ結合するヒンジ部５ｂ−３とを有して形成される。即ち、スイッチノブ本体５ａへの押込操作に対してヒンジ部５ｂ−３が弾性復帰自在にヒンジ変形する事によりスイッチノブ本体５ａが弾性復帰自在に後退される。
【００１７】
これらのスイッチノブ５は、その操作面５ｄがパネル基板３の開口部３ａから露出する様にそのスイッチノブ本体５ａが導光レンズ７の開口部７ｂ内に配置された状態で、その固定部５ｂ−２が導光レンズ７の取付部７ｄに固着される事により、導光レンズ７に取り付けられる。この取付状態では、各スイッチノブ本体５ａと導光レンズ７の光射出部７ｃとの間隔ｄは、均一な適宜間隔に保たれる。
【００１８】
以上に説明したスイッチノブ５の取付構造によれば、スイッチノブ５は、そのスイッチノブ５に設けられた支持部５ｂを介して直接に導光レンズ７に取り付けられる為、即ち従来の様にパネル基板３を介して導光レンズ７に取り付けられない為、スイッチノブ５と導光レンズ７との隙間ｄのばらつきを低減でき、これにより見栄えを良くできて意匠性を向上できると共にスイッチノブ５と導光レンズ７との干渉を防止できて操作性を向上できる。
【００１９】
又、導光レンズ７は、パネル基板３の後面上に配置される導光部７ａと、パネル基板３に設けられた開口部３ａの内周面上に配置される光射出部７ｃとを有して形成され、スイッチノブ５が、導光レンズ７の光射出部７ｃに対し適宜間隔ｄを保ってパネル基板３の開口部３ａ内に配置されるスイッチノブ本体５ａと、このスイッチノブ本体５ａを導光レンズ７の導光部７ａに押込操作に応じて復帰自在に後退できる様に固定支持する支持部５ｂとを有して形成される為、簡単な構成でスイッチノブ５を押込操作に応じて復帰自在に後退できる様に導光レンズ７に取り付けられる。
【図面の簡単な説明】
【００２０】
【図１】本発明の実施の形態に係るスイッチパネルの正面図の一例図であり、且つ従来のスイッチパネルの照明図の一例図である。
【図２】図１のII−II断面図（本発明の実施の形態に係るスイッチパネルの断面図）である。
【図３】図１のIII−III断面図（従来のスイッチパネルの断面図）である。
【符号の説明】
【００２１】
１  スイッチパネル
３  パネル基板
３ａ  開口部
５  スイッチノブ
５ｂ  支持部
７  導光レンズ
【図１】
2005197107.tif 000003
【図２】
2005197107.tif 000004
【図３】
2005197107.tif 000005